(57)【要約】【課題】  バイフェーズ変調データを外部機器に転送する際に必要な同期クロックを容易な構成で取得することのできるクロック信号処理回路を提供する。【解決手段】  クロック信号処理回路は、ＣＤから読み出されたデータを第１マスタークロックを用いて復号化してバイフェーズ変調データを生成するフロントエンド部２と、ＤＶＤから読み出されたデータを第２マスタークロックを用いて復号化してバイフェーズ変調データを生成するバックエンド部３と、フロントエンド部２又はバックエンド部３によって生成された各バイフェーズ変調データを、第１マスタークロック又は第２マスタークロックに同期させて外部機器に出力するＩＥＥＥ１３９４回路部４と、ＣＤ又はＤＶＤの種類に基づいてフロントエンド部２から出力される第１マスタークロック又はバックエンド部３から出力される第２マスタークロックをＩＥＥＥ１３９４回路部４に供給するように切り換える切換回路部５と、を備える。【選択図】  図１
2005323272.tif 000002
【特許請求の範囲】
【請求項１】
記録媒体から読み出された第１のデータを第１のクロックを用いて復号化して第１のバイフェーズ変調データを生成する第１バイフェーズ変調データ生成手段と、
前記記録媒体とは異なる他の記録媒体から読み出された第２のデータを前記第１のクロックとは異なる第２のクロックを用いて復号化して第２のバイフェーズ変調データを生成する第２バイフェーズ変調データ生成手段と、
前記第１バイフェーズ変調データ生成手段又は第２バイフェーズ変調データ生成手段によって生成された第１のバイフェーズ変調データ又は第２のバイフェーズ変調データを、前記第１のクロック又は第２のクロックに同期させて外部機器に出力するインターフェース出力手段と、
前記記録媒体の種類に基づいて前記第１バイフェーズ変調データ生成手段から出力される前記第１のクロック又は前記第２バイフェーズ変調データ生成手段から出力される第２のクロックを前記インターフェース出力手段に供給するように切り換える切換手段と、
を備えることを特徴とする、クロック信号処理回路。
【請求項２】
前記切換手段は、前記インターフェース出力手段からの制御信号に基づいて切り換えられる、請求項１に記載のクロック信号処理回路。
【請求項３】
前記記録媒体はＤＶＤであり、前記他の記録媒体はＣＤである、請求項１又は２に記載のクロック信号処理回路。
【請求項４】
請求項１ないし３のいずれかに記載のクロック信号処理回路を含むことを特徴とする、音声再生装置。
【発明の詳細な説明】
【技術分野】
【０００１】
本願発明は、バイフェーズ変調データを外部機器に出力するインターフェース回路に対してそれに用いる同期クロックを取得するためのクロック信号処理回路に関するものである。
【背景技術】
【０００２】
近年、パーソナルコンピュータの周辺機器、オーディオ機器、及びディジタルカメラ等のディジタル機器間の接続において、ＩＥＥＥ１３９４（Institute of Electrical & Electronics Engineers 1394）といった規格のインターフェース回路が用いられている。このＩＥＥＥ１３９４のインターフェース回路では、受信側機器に対してデータが転送される場合、ＩＥＣ６０９５８規格のバイフェーズ変調データが用いられるのが一般的である。そして、この場合、バイフェーズ変調データが用いられるときには、それに同期した同期クロックが必要となる（たとえば、特許文献１参照）。
【０００３】
【特許文献１】特開２００１−２８５２６３号公報
【０００４】
バイフェーズ変調データから同期クロックを抽出する場合、従来では、ＤＩＲ（Digital Audio Interface Receiver）といったＬＳＩが汎用的に用いられている。例えば、オーディオ機器であるＤＶＤ（digital versatile disc）プレイヤにおいては、受信側機器に対してオーディオデータを転送する場合に、このようなＤＩＲを用いることが多い。
【０００５】
ここで、ＩＥＣ６０９５８規格のバイフェーズ変調データの伝送フォーマットは、図２に示すように、複数（例えば１９２個）のフレームを含むブロックによって構成され、各フレームは、２つのサブフレームからなる。サブフレームは、プリアンブル部２１とチャンネル部２２とからなり、チャンネル部２２に実際のバイフェーズ変調データが格納されている。なお、図中、プリアンブル部２１の「Ｂ」は、そのフレームがブロックの先頭であることを示すとともに、そのチャンネル部２２のデータが左音声チャンネル用であることを示し、「Ｍ」はそのチャンネル部２２のデータが左音声チャンネル用であることを示し、「Ｗ」はそのチャンネル部２２のデータが右音声チャンネル用であることをそれぞれ示している。
【０００６】
バイフェーズ変調データは、図３に示すように、ビットごとのデータの値（「０」又は「１」）を表すのに、各ビットを２つのシンボルの組み合わせで表現したものである。例えばデータ「０」は「００」又は「１１」といったシンボルで表され、データ「１」は「１０」又は「０１」といったシンボルで表される。
【０００７】
バイフェーズ変調データは、１ビットを表す２つのシンボルのうちの前半のシンボルが、直前のビットの後半のシンボルと異なるといった特性がある。このような特性を有するバイフェーズ変調データを用いることにより、バイフェーズ変調データから同期クロックを容易に抽出することができ、ＩＥＥＥ１３９４のインターフェース回路において、受信側機器に対してオーディオデータ等を転送する場合に、それを利用することができる。
【０００８】
図４は、従来のＤＶＤプレイヤの内部構成の一例を示すブロック図である。このＤＶＤプレイヤでは、ＤＶＤの他にＣＤ（compact disc）を再生することが可能とされている。なお、図４では、音声信号に関する構成を示している。
【０００９】
このＤＶＤプレイヤでは、ＤＶＤ又はＣＤから読み取られたＲＦ信号がピックアップ部１からフロントエンド部２に送られる。フロントエンド部２では、ＤＶＤが再生される場合には、ＲＦデコーダ部１１でＲＦ信号がデコードされ、ディジタルデータとしてバックエンド部３に送られる。一方、ＣＤが再生される場合には、ＲＦ信号がデコードされた後、ＣＤデコーダ部１２においてバイフェーズ変調データに変換され、変換されたバイフェーズ変調データは、バックエンド部３に対して送られる。
【００１０】
バックエンド部３では、ＤＶＤが再生される場合には、フロントエンド部２から送られたディジタルデータがＤＶＤデコーダ部１４においてバイフェーズ変調データに変換される。バックエンド部３は、切換スイッチ１５を有しており、切換スイッチ１５は、ＤＶＤが再生される場合には、変換されたバイフェーズ変調データをＩＥＥＥ１３９４規格のインターフェース回路部４（以下、「ＩＥＥＥ１３９４回路部４」という。）に出力させる。一方、ＣＤが再生される場合には、フロントエンド部２から送られたバイフェーズ変調データをＩＥＥＥ１３９４回路部４に出力させる。
【００１１】
そして、バックエンド部３とＩＥＥＥ１３９４回路部４との間には、バイフェーズ変調データに基づいて同期クロックを抽出するためのＤＩＲ２３が接続されている。ＩＥＥＥ１３９４回路部４では、ＤＶＤのバイフェーズ変調データ又はＣＤのバイフェーズ変調データを受信側機器に転送するとき、ＤＶＤのバイフェーズ変調データに応じた同期クロック又はＣＤのバイフェーズ変調データに応じた同期クロックが必要となる。ＤＶＤのバイフェーズ変調データとＣＤのバイフェーズ変調データとは、互いに位相が異なるため、ＤＩＲ２３では、ＤＶＤが再生される場合には、ＤＶＤのバイフェーズ変調データからそれに応じた同期クロックを抽出し、ＣＤが再生される場合には、ＣＤのバイフェーズ変調データからそれに応じた同期クロックを抽出するようにしている。
【００１２】
図５は、ＤＩＲにおける同期クロックを生成する部分の概略構成を示すブロック図である。このＤＩＲ２３は、プリアンブル検出部２４とＰＬＬ部２５とからなり、プリアンブル検出部２４においてサブフレームのプリアンブル部２１（図２参照）が検出された後、その後に続くチャンネル部２２のバイフェーズ変調データは、ＰＬＬ部２５に送られる。ＰＬＬ部２５では、位相比較部２６において各チャンネル部２２のデータの波形が後述する分周回路２９の出力と比較され、ローパスフィルタ２７を介してＶＣＯ（電圧制御発振器）２８に与えられる。ＶＣＯ２８の出力は、分周回路２９において１／２に分周され、位相比較部２６に帰還されて位相比較される。これにより、同期クロックが抽出される。
【発明の開示】
【発明が解決しようとする課題】
【００１３】
従来のＤＶＤプレイヤの構成では、上記したようにバイフェーズ変調データから同期クロックを抽出するためのＤＩＲが汎用的に用いられているのであるが、このＤＩＲは、ＬＳＩで構成されていることが多く、回路のトータルコストを増大させる一因となっていた。そこで、本願発明者は、低価格化を推進すべき鋭意研究を重ねた結果、本願発明に至った。
【００１４】
本願発明は、上記した事情のもとで考え出されたものであって、バイフェーズ変調データを外部機器に転送する際に必要な同期クロックを容易な構成で取得することのできるクロック信号処理回路を提供することを、その課題とする。
【課題を解決するための手段】
【００１５】
上記の課題を解決するため、本願発明では、次の技術的手段を講じている。
【００１６】
本願発明の第１の側面によって提供されるクロック信号処理回路は、記録媒体から読み出された第１のデータを第１のクロックを用いて復号化して第１のバイフェーズ変調データを生成する第１バイフェーズ変調データ生成手段と、前記記録媒体とは異なる他の記録媒体から読み出された第２のデータを前記第１のクロックとは異なる第２のクロックを用いて復号化して第２のバイフェーズ変調データを生成する第２バイフェーズ変調データ生成手段と、前記第１バイフェーズ変調データ生成手段又は第２バイフェーズ変調データ生成手段によって生成された第１のバイフェーズ変調データ又は第２のバイフェーズ変調データを、前記第１のクロック又は第２のクロックに同期させて外部機器に出力するインターフェース出力手段と、前記記録媒体の種類に基づいて前記第１バイフェーズ変調データ生成手段から出力される前記第１のクロック又は前記第２バイフェーズ変調データ生成手段から出力される第２のクロックを前記インターフェース出力手段に供給するように切り換える切換手段と、を備えることを特徴としている（請求項１）。この場合、前記記録媒体はＤＶＤであり、前記他の記録媒体はＣＤであるとよい（請求項３）。
【００１７】
この発明によれば、インターフェース出力手段によって第１のバイフェーズ変調データ又は第２のバイフェーズ変調データが外部機器に出力される際、第１のバイフェーズ変調データ又は第２のバイフェーズ変調データは、第１のクロック又は第２のクロックに同期して出力される。第１のクロックは、記録媒体から読み出された第１のデータを復号化して第１のバイフェーズ変調データを生成する際に用いられる。また、第２のクロックは、他の記録媒体から読み出された第２のデータを復号化して第２のバイフェーズ変調データを生成する際に用いられる。そして、切換手段によって第１のクロック又は第２のクロックが切り換えられてインターフェース出力手段に供給される。
【００１８】
このように、第１のクロック及び第２のクロックは、バイフェーズ変調データを生成する回路で用いられているクロックを利用することができるので、従来の構成のように、バイフェーズ変調データから同期させるためのクロックを抽出するために、汎用的に用いられていた高コストのＤＩＲを採用する必要性がなくなる。従って、バイフェーズ変調データを外部機器に出力するときに必要な同期クロックを、低コストでかつ安易な回路構成でインターフェース出力手段に供給することができる。
【００１９】
好ましい実施形態によれば、前記切換手段は、前記インターフェース出力手段からの制御信号に基づいて切り換えられるとよい（請求項２）。これにより、切換手段は、電気的にインターフェース出力手段の近傍に配置される。従って、上記のように、インターフェース出力手段から切換手段を切換制御するための制御信号線を設けるようにすれば、第１又は第２バイフェーズ変調データ生成手段から切換手段を切換制御するための制御信号線を設ける場合に比べ、回路構成をより容易化することができる。
【００２０】
本願発明の第２の側面によって提供される音声再生装置は、本願発明の第１の側面によって提供されるクロック信号処理回路を含むことを特徴としている（請求項４）。
【００２１】
本願発明のその他の特徴及び利点は、添付図面を参照して以下に行う詳細な説明によって、より明らかとなろう。
【発明を実施するための最良の形態】
【００２２】
以下、本願発明の好ましい実施の形態を、添付図面を参照して具体的に説明する。
【００２３】
図１は、本願発明にかかるクロック信号処理回路が適用される例えばＤＶＤプレイヤのブロック構成図である。この音声再生装置としてのＤＶＤプレイヤは、ＤＶＤを再生するためのものであるが、ＣＤを再生することも可能とされている。また、図１には、オーディオデータに関連する構成のみを示している。
【００２４】
このＤＶＤプレイヤは、ピックアップ部１、フロントエンド部２、バックエンド部３、ＩＥＥＥ１３９４回路部４、切換回路部５、システム制御部６、及び操作部７によって構成されている。
【００２５】
ピックアップ部１は、ＤＶＤ又はＣＤに記録されているオーディオデータを読み出すためのものであり、ＤＶＤ又はＣＤ等のディスクに対して光スポットを照射する光ヘッド、データの再生時に当該ディスクを回転させるためのモータ等を備えている。ピックアップ部１は、ディスクからデータを読み出すと、それをＲＦ信号としてフロントエンド部２に出力する。
【００２６】
フロントエンド部２は、ピックアップ部１に接続されたＲＦデコーダ部１１を有している。ＲＦデコーダ部１１は、ピックアップ部１によって読み出されたデータをＲＦデコーダ部１１においてデコードしてディジタルデータに変換するものである。フロントエンド部２では、読み出されたデータに基づいて、再生されるディスクがＤＶＤであるか、又はＣＤであるかを判別する。フロントエンド部２は、再生されるディスクがＤＶＤの場合には、ＤＶＤのオーディオデータをデコードすると、それをバックエンド部３に送る。
【００２７】
フロントエンド部２は、ＲＦデコーダ部１１に接続されたＣＤデコーダ部１２を有している。ＣＤデコーダ部１２は、再生されるディスクがＣＤの場合には、ＲＦデコーダ部１１においてデコードされたＣＤのディジタルデータをバイフェーズ変調データにデコードするものである。フロントエンド部２は、デコードされたＣＤのバイフェーズ変調データをバックエンド部３に送る。
【００２８】
また、フロントエンド部２は、水晶発振器を有する第１発振回路１３を有しており、水晶発振器は、例えば３３．８６８８ＭＨｚの周波数を有するクロックを発振し、このクロックは、フロントエンド部２の内部回路のマスタークロック（以下、「第１マスタークロック」という。）として利用されている。本実施形態では、第１発振回路１３から発振される第１マスタークロックを、ＩＥＥＥ１３９４回路部４においてＣＤのバイフェーズ変調データを受信側機器に転送するときに、バイフェーズ変調データの同期クロックとして用いる。
【００２９】
バックエンド部３は、フロントエンド部２のＲＦデコーダ部１１に接続されたＤＶＤデコーダ部１４を有している。ＤＶＤデコーダ部１４は、再生されるディスクがＤＶＤの場合には、フロントエンド部２から送られるＤＶＤのディジタルデータをバイフェーズ変調データにデコードするものである。
【００３０】
バックエンド部３は、内部に切換スイッチ１５を有しており、ＤＶＤデコーダ部１４によってデコードされたＤＶＤのバイフェーズ変調データは、この切換スイッチ１５を介してＩＥＥＥ１３９４回路部４に送られる。
【００３１】
バックエンド部３は、再生されるディスクがＣＤの場合には、フロントエンド部２から送られるＣＤのバイフェーズ変調データを切換スイッチ１５を介してＩＥＥＥ１３９４回路部４に送る。すなわち、切換スイッチ１５は、システム制御部６によって切換制御されるものであり、システム制御部６は、再生されるディスクの種類（ＤＶＤ又はＣＤ）に応じて切換スイッチ１５を切り換えて、ＤＶＤ又はＣＤのバイフェーズ変調データをＩＥＥＥ１３９４回路部４に出力させる。
【００３２】
また、バックエンド部３は、水晶発振器を有する第２発振回路１６を有しており、水晶発振器は、例えば２４．５７６ＭＨｚの周波数を有するクロックを発振し、このクロックは、バックエンド部３の内部回路のマスタークロック（以下、「第２マスタークロック」という。）として利用されている。本実施形態では、第２発振回路１６から発振される第２マスタークロックを、ＩＥＥＥ１３９４回路部４においてＤＶＤのバイフェーズ変調データを受信側機器に転送するときに、バイフェーズ変調データの同期クロックとして用いる。
【００３３】
ＩＥＥＥ１３９４回路部４は、ＤＶＤ又はＣＤのバイフェーズ変調データを受信側機器に送信するためのインターフェースとして機能するものである。すなわち、ＩＥＥＥ１３９４回路部４は、フロントエンド部２又はバックエンド部３からの同期クロックに同期させてバイフェーズ変調データを受信側機器に転送するものである。
【００３４】
切換回路部５は、ＩＥＥＥ１３９４回路部４に対してＤＶＤ又はＣＤのバイフェーズ変調データに応じた同期クロックを与えるものである。切換回路部５は、ＩＥＥＥ１３９４回路部４から送られるセレクト信号に基づいて、バックエンド部３から出力される第２マスタークロックと、フロントエンド部２から出力される第１マスタークロックとを切り換えてＩＥＥＥ１３９４回路部４に送る。切換回路部５は、例えば、ＤＶＤが再生される場合には、バックエンド部３からの第２マスタークロックがＩＥＥＥ１３９４回路部４に送られるように切り換える一方、ＣＤが再生される場合には、フロントエンド部２からの第１マスタークロックがＩＥＥＥ１３９４回路部４に送られるように切り換える。なお、ＩＥＥＥ１３９４回路部４は、再生されるディスクがＤＶＤであるか、あるいはＣＤであるかの情報をバックエンド部３から供給されている。
【００３５】
すなわち、本実施形態では、ＤＶＤのバイフェーズ変調データに応じた同期クロックとしてバックエンド部３で用いられている第２マスタークロックを利用する。また、ＣＤのバイフェーズ変調データに応じた同期クロックとしてフロントエンド部２で用いられている第１マスタークロックを利用する。
【００３６】
具体的には、バックエンド部３では、ＤＶＤのディジタルデータをバイフェーズ変調データにデコードする際、第２発振回路１６から発振される第２マスタークロックが用いられており、この第２マスタークロックを、ＩＥＥＥ１３９４回路部４においてＤＶＤのバイフェーズ変調データを受信側機器に転送するときに必要な同期クロックとして用いる。
【００３７】
また、フロントエンド部２は、ＣＤのディジタルデータをバイフェーズ変調データにデコードする際、第１発振回路１３から発振される第１マスタークロックが用いられており、この第１マスタークロックを、ＩＥＥＥ１３９４回路部４においてＣＤのバイフェーズ変調データを受信側機器に転送するときに必要な同期クロックとして用いる。
【００３８】
システム制御部６は、ピックアップ部１、フロントエンド部２、バックエンド部３、ＩＥＥＥ１３９４回路部４、切換回路部５、及び操作部７を統括的に制御するものである。システム制御部６には、マンマシンインターフェースとしての操作部７が接続されており、この操作部７からの操作入力に基づいて各部を制御する。例えば操作部７からディスクをローディングする旨の操作入力があると、ピックアップ部１に対してその旨の制御信号を送る。また、再生されるディスクがＤＶＤであるか、あるいはＣＤであるかの情報がフロントエンド部２から送られると、必要に応じてバックエンド部３等にその情報を送る。
【００３９】
次に、上記構成による作用について説明する。
【００４０】
まず、ＤＶＤが再生される場合について説明する。ピックアップ部１のテーブル（図略）にＤＶＤが搭載されると、ピックアップ部１は、ディスクの表面にピット形式で記録されているデータを読み取る。
【００４１】
ピックアップ部１によって読み取られたデータは、ＲＦ信号としてフロントエンド部２に送られ、フロントエンド部２のＲＦデコーダ部１１においてディジタルデータにデコードされる。このディジタルデータに基づいて、再生されるディスクがＤＶＤであるか又はＣＤであるかが判別される。
【００４２】
フロントエンド部２のＲＦデコーダ部１１によってデコードされたディジタルデータは、バックエンド部３に送られ、バックエンド部３のＤＶＤデコーダ部１４においてバイフェーズ変調データにデコードされる。このとき、バックエンド部３では、第２発振回路１６から発振される第２マスタークロックが用いられる。また、この第２マスタークロックは、出力端子ｂから出力され、切換回路部５に送られる。
【００４３】
バックエンド部３は、例えばシステム制御部６からの情報により、ＤＶＤを再生することを認識しており、内部の切換スイッチ１５を、ＤＶＤのバイフェーズ変調データがＩＥＥＥ１３９４回路部４に転送されるように切り換える。この切換スイッチ１５の切換動作によって、ＤＶＤのバイフェーズ変調データは、切換スイッチ１５を介してＩＥＥＥ１３９４回路部４に転送される。
【００４４】
また、バックエンド部３は、切換スイッチ１５を切り換えるとともに、再生されるディスクがＤＶＤである旨をＩＥＥＥ１３９４回路部４に送る。これにより、ＩＥＥＥ１３９４回路部４は、切換回路部５に対してセレクト信号ＳＣを送る。ここで、切換回路部５は、ＩＥＥＥ１３９４回路部４からのセレクト信号ＳＣに基づいて切り換えられるが、切換回路部５は、電気的にＩＥＥＥ１３９４回路部４の近傍に配置される。従って、切換回路部５を切換制御するためにＩＥＥＥ１３９４回路部４から切換回路部５へ制御信号線を設けることは、電気的にＩＥＥＥ１３９４回路部４から離れた位置に配置されているフロントエンド部２、バックエンド部３、又はシステム制御部６から切換回路部５を切換制御するための制御信号線を設ける場合に比べ、回路構成をより容易化することができる。
【００４５】
切換回路部５は、ＩＥＥＥ１３９４回路部４からのセレクト信号ＳＣにより、バックエンド部３の出力端子ｂから出力された第２マスタークロックをＩＥＥＥ１３９４回路部４に送るように切り換える。この切換回路部５の切換動作によって、第２マスタークロックは、切換回路部５を介してＩＥＥＥ１３９４回路部４に送られる。
【００４６】
ＩＥＥＥ１３９４回路部４では、バックエンド部３から送られたバイフェーズ変調データを、バックエンド部３の出力端子ｂから出力された第２マスタークロックに同期させて、受信側機器に転送する。このようにして、ＤＶＤプレイヤからＤＶＤのオーディオデータが受信側機器に転送される。
【００４７】
次に、ＣＤが再生される場合について説明する。ピックアップ部１のテーブル（図略）にＣＤが搭載されると、ピックアップ部１は、ディスクの表面にピット形式で記録されているデータを読み取る。
【００４８】
ピックアップ部１によって読み取られたデータは、ＲＦ信号としてフロントエンド部２に送られ、フロントエンド部２のＲＦデコーダ部１１においてディジタルデータにデコードされる。このディジタルデータに基づいて、再生されるディスクがＤＶＤであるか又はＣＤであるかが判別される。
【００４９】
フロントエンド部２のＲＦデコーダ部１１によってデコードされたディジタルデータは、ＣＤデコーダ部１２に転送され、さらに、ＣＤデコーダ部１２においてディジタルデータからバイフェーズ変調データにデコードされる。このとき、フロントエンド部２では、第１発振回路１３から発振される第１マスタークロックが用いられる。また、この第１マスタークロックは、出力端子ａから切換回路部５に送られる。ＣＤデコーダ部１２においてデコードされたバイフェーズ変調データは、バックエンド部３に送られる。
【００５０】
バックエンド部３は、例えばシステム制御部６からの情報により、ＣＤを再生することを認識しており、内部の切換スイッチ１５を、ＣＤのバイフェーズ変調データがＩＥＥＥ１３９４回路部４に転送されるように切り換える。この切換スイッチ１５の切換動作によって、ＣＤのバイフェーズ変調データは、切換スイッチ１５を介してＩＥＥＥ１３９４回路部４に転送される。
【００５１】
また、バックエンド部３は、切換スイッチ１５を切り換えるとともに、再生されるディスクがＣＤである旨をＩＥＥＥ１３９４回路部４に送る。これにより、ＩＥＥＥ１３９４回路部４は、切換回路部５に対してセレクト信号ＳＣを送る。
【００５２】
切換回路部５は、ＩＥＥＥ１３９４回路部４からのセレクト信号ＳＣにより、フロントエンド部２の出力端子ａから出力された第１マスタークロックをＩＥＥＥ１３９４回路部４に送るように切り換える。この切換回路部５の切換動作によって、第１マスタークロックは、切換回路部５を介してＩＥＥＥ１３９４回路部４に送られる。
【００５３】
ＩＥＥＥ１３９４回路部４では、フロントエンド部２から送られたバイフェーズ変調データを、フロントエンド部２の出力端子ａから出力された第１マスタークロックに同期させて、受信側機器に転送する。このようにして、ＤＶＤプレイヤからＣＤのオーディオデータが受信側機器に転送される。
【００５４】
上記のように、ＩＥＥＥ１３９４回路部４においてＤＶＤ又はＣＤのバイフェーズ変調データを受信側機器に転送するときに必要な同期クロックとして、フロントエンド部２又はバックエンド部３から出力される第１マスタークロック又は第２マスタークロックを用いることができるので、従来の構成のように、バイフェーズ変調データから同期クロックを抽出するために、汎用的に用いられていた高コストのＤＩＲ２３を採用する必要性がなくなる。
【００５５】
従って、ＤＶＤ又はＣＤのバイフェーズ変調データを受信側機器に転送するときに必要な同期クロックを、低コストでかつ安易な回路構成でＩＥＥＥ１３９４回路部４に対して供給することができる。
【００５６】
もちろん、この発明の範囲は上述した実施の形態に限定されるものではない。例えば、上記実施形態では、音声再生装置としての一例としてＤＶＤプレイヤについて説明したが、ＤＶＤプレイヤに限らず、アンプ、レシーバ等といった音声再生装置に本願発明を適用するようにしてもよい。そのため、再生されるディスクとしては、ＤＶＤ及びＣＤに限るものではない。
【００５７】
また、切換回路部５は、フロントエンド部２、バックエンド部３、又はシステム制御部６によって切換制御されてもよい。
【図面の簡単な説明】
【００５８】
【図１】本願発明にかかるクロック信号処理回路が適用されるＤＶＤプレイヤのブロック構成図である。
【図２】バイフェーズ変調データの伝送フォーマットの構成を示す図である。
【図３】バイフェーズ変調データを説明するための図である。
【図４】ＤＶＤプレイヤの内部構成の一例を示すブロック図である。
【図５】ＤＩＲの概略構成を示すブロック図である。
【符号の説明】
【００５９】
１  ピックアップ部
２  フロントエンド部
３  バックエンド部
４  ＩＥＥＥ１３９４回路部
５  切換回路部
６  システム制御部
１１  ＲＦデコーダ部
１４  ＤＶＤデコーダ部
１３  第１発振回路
１６  第２発振回路
【図１】
2005323272.tif 000003
【図２】
2005323272.tif 000004
【図３】
2005323272.tif 000005
【図４】
2005323272.tif 000006
【図５】
2005323272.tif 000007